(57)【特許請求の範囲】
【請求項１】
駆動手段により回転する回転体を用いて円板状物を発射する円板状物の発射装置であって、
前記回転体の回転軸上に設けられ、前記回転体に前記円板状物を供給する供給口と、
前記回転体の供給口から前記回転体の外周縁に設けた発射口へと通じる前記円板状物の発射通路とを有し、
前記回転体の回転による遠心力で前記発射口より前記円板状物を発射することを特徴とする円板状物の発射装置。
【請求項２】
請求項１において、
前記回転体を傾斜させて設けたことを特徴とする円板状物の発射装置。
【請求項３】
請求項２において、
前記発射通路のメダル進入方向上の外周縁位置よりも、回転方向後方に前記発射口が位置するように、前記発射通路と前記発射口を設けたことを特徴とする円板状物の発射装置。
【請求項４】
請求項１〜３のいずれかにおいて、
前記回転体には、前記円板状物を発射口付近で保持する保持手段と、前記円板状物を解放する解放手段とが設けられていることを特徴とする円板状物の発射装置。
【発明の詳細な説明】
【０００１】
【発明の属する技術分野】
本発明は、円板状物の発射装置に関し、特に、遠心力で円板状物を発射させる円板状物の発射装置に関する。
【０００２】
【背景技術及び発明が解決しようとする課題】
一般に、ゲーム装置、例えば円板状物であるメダルを用いたゲーム装置においては、駆動モータの駆動によってメダルを飛ばすメダル発射装置を用いてゲームを行うようにしたものが知られている。
【０００３】
このようなメダル発射装置としては、例えば、特開平８−２８９９７０号公報に示されるようなものがある。
【０００４】
このメダル発射装置は、変形可能なリング部を外周に有する回転円板とローラとの間にメダルを挟んで回転円板の回転によりメダルを発射するようにしている。
【０００５】
しかし、このメダル発射装置にあっては、回転円板の外周に設けたリング部の摩擦力によりメダルを発射するため、リング部が摩耗しやすく、耐用性に乏しいという問題がある。
【０００６】
また、回転円板とローラとの間にメダルを挟んで発射するため、発射時に回転円板の駆動手段に負荷がかかることとなり、メダルを連続して投入した場合に、メダルを均一に飛ばすことが困難となるという問題がある。
【０００７】
本発明の目的は、回転の遠心力によって円板状物を発射することで、摩耗がなく、耐用性に優れ、しかも、発射時に駆動手段に負荷がかからず、連続発射しても確実かつ均一に発射することができる円板状物の発射装置を提供することにある。
【０００８】
【課題を解決するための手段】
前記目的を達成するため、本発明の円板状物の発射装置は、駆動手段により回転する回転体を用いて円板状物を発射する円板状物の発射装置であって、
前記回転体の回転軸上に設けられ、前記回転体に前記円板状物を供給する供給口と、
前記回転体の供給口から前記回転体の外周縁に設けた発射口へと通じる前記円板状物の発射通路とを有し、
前記回転体の回転による遠心力で前記発射口より前記円板状物を発射することを特徴とする。
【０００９】
本発明によれば、回転体の回転軸上に円板状物を供給する供給口を形成することで、回転する回転体に対し円板状物を確実に供給することができ、しかも、供給口から発射口へと通じる発射通路を介して円板状物を発射口へと導き、回転体の回転による遠心力で発射口より円板状物を発射することで、摩擦力を用いることなく、摩耗のない、耐用性に優れ、しかも、発射時に駆動手段に負荷がかからず、連続発射しても確実かつ均一に円板状物を発射することができる。
【００１０】
本発明においては、前記回転体を傾斜させて設けるようにすることができる。
【００１１】
このような構成とすることにより、回転体の傾斜によって供給口に供給された円板状物が回転軸上に留まることなく、スムーズに発射通路に進入し、円板状物の発射が可能となる。
【００１２】
この場合、前記発射通路のメダル進入方向上の外周縁位置よりも、回転方向後方に前記発射口が位置するように、前記発射通路と前記発射口を設けることができる。
【００１３】
このような構成とすることにより、発射通路が傾斜下方に位置する時点で、円板状物が発射通路内に進入して外周部に位置するようにすることができ、発射位置まで十分な加速時間を確保することが可能となる。
【００１４】
本発明においては、前記回転体には、前記円板状物を発射口付近で保持する保持手段と、前記円板状物を解放する解放手段とを設けることができる。
【００１５】
このような構成とすることにより、保持手段により円板状物を発射口付近で保持しておき、発射位置で解放手段により円板状物を解放することで、途中で円板状物を飛び出させてしまうことなく、確実に発射位置で円板状物を発射させることができる。
【００１８】
【発明の実施の形態】
以下、本発明の実施の形態について、図面を参照して詳細に説明する。
【００１９】
図１及び図２は、本発明の一実施の形態に係る円板状物の発射装置を用いたゲーム装置を示す図である。
【００２０】
このゲーム装置１０は、メダルプッシャーゲームを行うもので、筐体１２の正面上部にゲーム盤面１４が設けられ、このゲーム盤面１４の下端位置にプッシャープレート１６を有するゲームフィールド１８が設けられている。
【００２１】
また、筐体１２の前方には操作部２０が設けられ、この操作部２０にメダル投入口２２が設けられている。
【００２２】
このメダル投入口２２に投入された円板状物であるメダル２４は、投入レール２６を介して筐体１２内のメダル発射装置２８へと導かれ、そこで発射されて発射レール３０を介してゲーム盤面１４の上部へと放出されるようになっている。
【００２３】
ゲーム盤面１４には、抽選表示部３２と、チャッカー部３４と、チャッカー部３４へのメダル２４の進路を邪魔する複数の釘３６と、放出されたメダル２４の振り分けを行う水平移動可能な振り分け装置３８とが設けられている。
【００２４】
そして、盤面１４の上部に放出されたメダル２４が振り分け装置３８によって振り分けられ、釘３６によって邪魔されながら下方へと移動し、チャッカー部３４を通過すると、抽選表示部３２による抽選が行われ、例えば当たり、大当たり等の抽選結果が表示されるようになっている。
【００２５】
この抽選結果に応じて図示せぬ払い出し装置から払い出し用のメダルが払い出されるようになっている。
【００２６】
また、ゲーム盤面１４に放出されたメダル２４は、ゲーム盤面１４の下部からゲームフィールド１８上に放出され、ゲームフィールド１８上のメダル２４がプッシャープレート１６により押されて図示せぬメダル取り出し口へと排出されるようになっている。
【００２７】
次に、メダル発射装置２８について説明する。
【００２８】
このメダル発射装置２８は、駆動手段としての駆動モータ４０と、この駆動モータ４０により回転してメダル２４を発射する発射部４２とを有している。
【００２９】
発射部４２は、図３〜図５に示すように、駆動モータ４２により回転する回転体４４と、この回転体４４のメダル発射方向（図３矢印方向）側を開放した状態で回転体４４の外周を覆うケース４６とを有し、回転体４４のメダル発射側が高くなるように、回転体４４が傾斜して設けられている。
【００３０】
このように、回転体４４を傾斜させることで、供給口５６に供給されたメダル２４が、回転体４４の回転軸上に留まることなくスムーズに発射通路６０に進入し、メダル２４の連続発射が可能となる。
【００３１】
回転体４４は、下円盤４８と、上円盤５０と、これら下円盤４８及び上円盤５０を上下から挟み込むカバー円盤５２、５４とが積層一体化された状態とされ、上側のカバー円盤５２及び上円盤５０の回転軸上に、回転体４４内にメダル２４を供給する供給口５６が形成され、この供給口５６が投入レール２６と接続されるようになっている。
【００３２】
下円盤４８は、図５及び図７に示すように、分割形成された一対の分割円盤５８からなり、この一対の分割円盤５８間に供給口５６とつながるメダル２４の発射通路６０が形成された状態となっている。
【００３３】
また、各分割円盤５８の両端部には、メダル２４を保持する保持手段としての保持部６２が対向して突出形成され、発射通路６０の両端位置でメダル２４の一部が回転体４４の外縁より突出するようにメダル２４を保持し得るようにされている。
【００３４】
上円盤５０は、図５及び図６に示すように、発射通路６０の両端部対応位置にメダル２４を解放する解放手段として、保持部６２の上方に発射通路６０と連通して解放部６４が配設されている。
【００３５】
また、この解放部６４が、回転方向後方側にかけて発射通路６０よりも広く形成され、この解放部６４に隣接して発射口６６が形成された状態となっている。
【００３６】
フレーム４６は、回転体４４の外周縁対応位置に配設された解放手段を構成する移行手段としての爪部６８を有している。
【００３７】
この爪部６８は、メダル２４を発射通路６０の保持部６２側から解放部６４側へと移行させるテーパ面７０を有している。
【００３８】
そして、保持部６２に保持されたメダル２４が回転体４４の外縁より若干突出した状態で爪部６８位置まで回転移動してくると、回転体４４より突出したメダル２４の下面がテーパ面７０に接触し、そのテーパ面７０に沿って上方に移動させられ、解放部６４へと移行させられる。
【００３９】
解放部６４に移行されたメダル２４は、回転体４４の回転に伴って、解放部６４から発射口６６側へと移動し、発射可能な状態とされ、発射口６６が発射レール３０位置に達すると、メダル２４が遠心力により発射されることとなる。
【００４０】
このように、メダル投入口２２から投入されたメダル２４を投入レール２６を介し回転体４４の回転軸上に設けられた供給口５６に供給することで、回転する回転体４４に対し確実にメダル２４を供給することができる。
【００４１】
しかも、供給口５６から発射口６６へと通じる発射通路６０を介してメダル２４を発射口６６へと導き、回転体４４の回転による遠心力で発射口６６よりメダル２４を発射することで、摩擦力を用いることなく、摩耗のない、耐用性に優れ、さらには、発射時に駆動モータ４０に負荷がかからず、連続発射しても確実かつ均一にメダルを発射することができる。
【００４２】
また、発射通路６０の端部で保持部６２によりメダル２４を保持し、爪部６８にてメダル２４を保持部６２から解放部６４へと移行させ、発射口６６より発射させることで、均一にメダル２４の保持と解放を行うことができ、しかも、簡単な構造でメダル２４の保持及び解放を達成することができる。
【００４３】
本発明は、前記実施の形態に限定されるものではなく、本発明の要旨の範囲内において、種々の形態に変形可能である。
【００４４】
例えば、前記実施の形態では、保持手段を発射口に突出形成した保持部とし、開放手段を保持部上方に発射通路と連通して配設された解放部と、ケースに設けた爪部とで形成しているが、この例に限らず種々の保持手段及び解放手段を採用することが可能である。
【００４５】
また、前記実施の形態では、複数の円盤を積層して回転体を形成しているが、下円盤及び上円盤は一体のものとして形成することも可能である。
【００４６】
次に、上述した実施の形態では、保持部６２、解放部６４、爪部６８を設け、メダルが所定以上の遠心力で発射されるようにしているが、これらを設けずとも、所定以上の遠心力を受けて発射される実施の形態について説明する。
【００４７】
図８〜図１０に示すように、本実施の形態は、発射通路８４、９０、９８を、供給口から回転体８０、８６、９６の回転方向とは逆方向に湾曲させて形成し、発射通路８４、９０、９８の出口にあたる発射口８２、８８、９６を、発射通路８４、９０、９８のメダル進行方向上にあたる外周縁位置よりも、回転方向の後方に位置するように形成している。
【００４８】
発射通路を直線状に形成せず、これらのように形成することによって、発射口８２、８８、９６が各図に示されている位置よりも前の時点、具体的には、発射通路８４、９０、９８のメダル進入方向が傾斜下側に向いた時点で、回転軸上に供給されたメダル２４が傾斜下方に移動可能、すなわち、発射通路８４、９０、９８への進入が可能となるため、各図において右上にあたる発射位置まで十分な加速時間をもつことができる。
【００４９】
図８の実施の形態は１本の発射通路しか設けていないが、図９、図１０に示すように複数本の発射通路を設けることで、短い間隔で多くのメダルを発射することが可能となる。また、前記実施の形態では、下円盤と上円盤と２枚で回転体を構成していたが、本実施の形態では、回転体を１枚で形成することができる。
【００５０】
なお、本実施の形態の他の構成及び作用は、前記実施の形態と同様につき説明を省略する。
【００５１】
なお、前記各実施の形態では、発射対象物をメダルとしているが、この例に限らず、円板状をなすものであれば種々のものを発射させることができる。
【図面の簡単な説明】
【図１】本発明の一実施の形態に係る発射装置を用いたゲーム装置の側方から見た断面図である。
【図２】図１のゲーム装置の正面図である。
【図３】図１及び図２に示す発射装置の平面図である。
【図４】図３のIV−IV線に沿う断面図である。
【図５】本実施の形態に係る発射装置の分解斜視図である。
【図６】図５の上円盤の平面図である。
【図７】図５の下円盤の平面図である。
【図８】本発明の他の実施の形態に係る発射装置の下円盤の平面図である。
【図９】本発明のさらに他の実施の形態に係る発射装置の下円盤の平面図である。
【図１０】本発明のさらに他の実施の形態に係る発射装置の下円盤の平面図である。
【符号の説明】
２８  メダル発射装置
４０  駆動モータ
４２  発射部
４４  回転体
４６  フレーム
４８  下円盤
５０  上円盤
５６  供給口
６０、８４、９０、９８  発射通路
６２、９２  保持部
６４  解放部
６６  発射口
６８  爪部
【図１】
0004535646.tif 000002
【図２】
0004535646.tif 000003
【図３】
0004535646.tif 000004
【図４】
0004535646.tif 000005
【図５】
0004535646.tif 000006
【図６】
0004535646.tif 000007
【図７】
0004535646.tif 000008
【図８】
0004535646.tif 000009
【図９】
0004535646.tif 000010
【図１０】
0004535646.tif 000011